(57)【要約】【課題】携帯電話機をズボン用ベルトに取り付けるとき、ベルトを解くことがあっても、ベルトがベルト通しから外れることなく、ベルト通しに対する挿通状態を維持し、携帯電話機等の落下・脱落を防止できるようにする。【解決手段】腰回りを囲繞してベルト通しＰ１に挿通するベルト本体１の自由端側に、ベルト本体１をベルト通しＰ１に連繋支持させる連繋部３を設ける。連繋部３は、ベルト本体１と共にベルト通しＰ１を挟むようにベルト本体１に起伏自在に止着固定する帯状に形成し、例えば雌雄嵌合式のホック４にて固定できるようにする。また、この連繋部３は、ベルト本体１の外側表面部位あるいは内側裏面部位に配する。【選択図】図１
0003157660.tif 000002
【実用新案登録請求の範囲】
【請求項１】
腰回りを囲繞してベルト通しに挿通されるベルト本体の自由端側に、ベルト本体をベルト通しに連繋支持させる連繋部を設けたことを特徴とするベルト。
【請求項２】
連繋部は、ベルト本体と共にベルト通しを挟むようにベルト本体に起伏自在に止着固定する帯状に形成してある請求項１に記載のベルト。
【請求項３】
連繋部は、ベルト通しを囲繞巻回するループ状に形成してある請求項１に記載のベルト。
【請求項４】
連繋部は、ベルト本体の外側表面部位あるいは内側裏面部位に配してある請求項１乃至３のいずれかに記載のベルト。
【考案の詳細な説明】
【技術分野】
【０００１】
この考案は、ズボン用ベルトに例えば携帯電話機を保持させて携帯するとき、トイレ・洗面所等でベルトを解くとき、携帯電話機の重量でベルト自体が例えば前部のベルト通しから外れ、更にベルトから外れた携帯電話機が落下、破損等するのを防止できるベルトに関する。
【背景技術】
【０００２】
近時、携帯電話機はその携帯性と共に小型化、高機能化、低価格化等に伴い、各個人それぞれが所有し、また頻繁に利用している。その携帯の態様は様々であっても、その利用の利便性、効用等を考慮すると、身近なものとして常時、身体に取り付けておくことが望ましく、身体に取り付けて携帯するための携帯用取付具が種々提案されている。例えば特許文献１に示すようなズボンを締めるベルトに取り付ける携帯電話機用所持ケースであり、これは、携帯電話機を収納自在にしたボックス状の基枠の背部にベルトが挿通される通し環を設けたものである。この所持ケースによると、ズボン用ベルトに携帯電話機を常時保持させておけるから、必要時には直ちに取り出し、また待機時には身体に取り付けて保持でき、しかもいわゆるマナーモードにした状態でも着信を確実に感知できることで便利なものとして一般的に使用されることが多い。
【０００３】
そして、この所持ケースの場合には、その通し環にベルトが挿通されているから、携帯電話機の重量はベルトによって支持された状態であり、またベルトに沿って例えばズボンのベルト通し相互間で移動可能となっており、通し環に挿通して支持されることでベルト自体を強制的にグリップして挟持していないから、ベルト自体を損傷させないで済む利点がある。また、このような所持ケースによる携帯態様は、携帯電話機の取り出し、収納が容易に行えるように、使用保持する者の多くはベルトにおけるバックル側とは反対の自由端側で、ズボンにおける前面位置のベルト通しとこれの後方側で隣接するベルト通しとの間に位置決めさせている。
【０００４】
そうすると図６に示すように、例えばトイレ、洗面所等で用をたすためにベルト１０を解くと、ベルト１０の自由端側では携帯電話機Ｔ自体の重量でベルト通しＰ１からベルト１０が外れてしまい、外れたベルト１０の自由端側に所持ケースＣと共にスライド移動し、そのままベルト１０から外れて落下することがある。そして床面に落下した衝撃あるいは例えば便器内での水没等で故障の原因となり、最悪の場合には携帯電話機に格納していた各種のデータが破壊・損傷されることにも繋がる。
【０００５】
これの改善の一方法として、例えば特許文献２に示すような吊りバンド式のズボンのずれ落ち防止具があるも、ベルトへの吊りバンドの取り付けは面倒である。また特許文献３に示すような、左右対称的に分割形成した弾性を有する半ベルトそれぞれの前端部にバックル状のストッパーを取り付けると共に、後端部相互を結合具にて着脱自在に結合できるようにしたベルト構成とすることも可能である。ただ、このような弾性半ベルト構造によると、ベルトを解くときでもベルト通しからベルトが脱落することはなくても、通常のバックルによる締め具構成とは異なるから、一般的なスタイルを好む多くの者にとってはこれの使用は躊躇せざるを得ない。
【先行技術文献】
【特許文献】
【０００６】
【特許文献１】特開２００５−１６０７３４号公報
【特許文献２】実開平５−７１１号公報
【特許文献３】特開２００８−９５２４８号公報
【考案の概要】
【考案が解決しようとする課題】
【０００７】
すなわち、前面に配したバックル（尾錠）によって締める一般的なベルト構成でありながら、携帯電話機用の所持ケースを通し環に挿通させて支持しても、ベルトを解いたときにベルト通しからベルトが外れることなく、携帯電話機が落下・脱落することもなく、安心して使用できるズボン用のベルトが望まれていたにもかかわらず、簡易な構成でこれを実現できるものは、従来、提案されていなかったのである。また、携帯電話機に限らず、ベルトに保持させる各種の小型機器等の諸物品についても、これらを安心して保持できるようにすることが望まれていたのである。
【０００８】
そこでこの考案は叙上のような従来存した諸事情に鑑み創出されたもので、その目的は例えば携帯電話機を収納保持する所持ケースをその通し環に挿通して携帯電話機をズボン用ベルトに取り付けるとき、バックルによる締結を解除してベルトを解くことがあっても、ベルトがベルト通しから外れることなく、ベルト通しに対する挿通状態を維持し、携帯電話機等の落下・脱落を防止できるベルトを提供することにある。
【課題を解決するための手段】
【０００９】
上述した課題を解決するため、この考案にあっては、腰回りを囲繞してベルト通しＰ１に挿通されるベルト本体１の自由端側に、ベルト本体１をベルト通しＰ１に連繋支持させる連繋部３を設けたことを特徴とする。
連繋部３は、ベルト本体１と共にベルト通しＰ１を挟むようにベルト本体１に起伏自在に止着固定する帯状に、あるいはベルト通しＰ１を囲繞巻回するループ状に形成することができ、例えば雌雄嵌合式のホック４にて固定でき、またベルト本体１の外側表面部位あるいは内側裏面部位に配することができる。
【００１０】
以上のように構成されたこの考案に係るベルトにあって、ズボンＰにおける腰回りのベルト通しＰ１それぞれに挿通したベルト本体１において、その自由端側部位に設けた連繋部３が身体前面のベルト通しＰ１に連繋支持していることで、ベルト本体１の自由端側をベルト通しＰ１から外させることがない。そのため、ベルト本体１に支持される携帯電話機Ｔの重量によってもベルト通しＰ１からベルト本体１が外れることなく、これを常時支持し、ベルト自体が解かれることがあっても、ベルト本体１に、その通し環Ｃ１に挿通して支持した所持ケースＣ、携帯電話機Ｔを落下、脱落させることがない。
ベルト本体１に起伏自在な連繋部３は、その起伏操作によって、ベルト本体１と共にベルト通しＰ１を挟み込み、ループ状の連繋部３は、これ独自でベルト通しＰ１を囲繞巻回してベルト本体１をベルト通しＰ１にしっかりと連繋支持させる。
ベルト本体１の外側表面部位に設けた連繋部３は、ベルト通しＰ１に挿通させたベルト本体１と共にベルト通しＰ１の外方から挟み込み、ベルト本体１を固定させる。また、ベルト本体１の内側裏面部位に設けた連繋部３は、ベルト本体１に挿通支持させる所持ケースＣを、例えばその通し環Ｃ１を支持することで所持ケースＣをスライド不能にして固定させ、ベルト自体が解かれることがあっても、ベルト本体１に支持した携帯電話機Ｔを落下、脱落させることがない。
【考案の効果】
【００１１】
この考案は以上説明したように構成されているため、ズボンＰを支持するようにベルト通しＰ１それぞれに挿通して腰回りを囲繞するベルト本体１に例えば所持ケースＣによって携帯電話機Ｔを取り付けるとき、ベルトを解くことがあっても連繋部３によってベルト本体１の自由端側がベルト通しＰ１に連繋支持されていることで、携帯電話機Ｔがベルト本体１から落下、脱落することがなく、安心して使用できる。
【００１２】
すなわちこれはこの考案において、腰回りを囲繞してベルト通しＰ１に挿通されるベルト本体１の自由端側に、ベルト本体１をベルト通しＰ１に連繋支持させる連繋部３を設けたからであり、ベルト本体１自体の自由端側の連繋部３によるベルト通しＰ１に対する連繋支持でベルト本体１を固定でき、例えばベルト本体１を通し環Ｃ１に挿通して所持ケースＣによって携帯電話機Ｔを支持するとき、携帯電話機Ｔの重量等によってベルト本体１がベルト通しＰ１から外れるのを防止でき、携帯電話機Ｔの保持安定性を図れる。
【００１３】
また、連繋部３が帯状に形成されていることで、ベルト本体１との統一的なデザインとして体裁良く構成でき、装飾、アクセサリーとしても役立てることもできる。
【００１４】
連繋部３はループ状に形成されていることで、ベルト通しＰ１にベルト本体１とは独自に固定でき、ベルト本体１をベルト通しＰ１に一層確実に連繋支持できる。
【００１５】
この連繋部３をベルト本体１の外側表面側に配することで、ベルト通しＰ１の内側に挿通させたベルト本体１と共に内外からベルト通しＰ１に連繋支持でき、その連繋支持操作は外側から行えることで取り扱いが便利である。
【００１６】
ベルト本体１の内側裏面側に連繋部３を配することで、携帯電話機Ｔを収納保持する所持ケースＣを、例えばその通し環Ｃ１を連繋部３にて固定することで、所持ケースＣを移動することなく固定でき、連繋部３のベルト通しＰ１への連繋を要することなく、携帯電話機Ｔを取り付け支持できる。
【００１７】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１８】
【図１】この考案を実施するための第１の実施の形態を示す使用状態の斜視図である。
【図２】同じくベルトを解いたときの斜視図である。
【図３】同じく第２の実施の形態における要部正面図である。
【図４】同じく第３の実施の形態における要部正面図である。
【図５】同じく第４の実施の形態における要部背面図である。
【図６】携帯電話機用の所持ケースを取り付けた従来のベルトを解いたときの斜視図である。
【考案を実施するための形態】
【００１９】
以下、図面を参照してこの考案を実施するための一形態を説明すると、図において示される符号１はズボンＰその他を身体に締め付けて支持するベルト本体である。ベルト本体１自体は従来と同様に構成されていて、身体の腰回りを囲繞して締めるに十分な長さを備えた帯状を呈しており、例えば一端には他端の自由端を係止するバックル（尾錠）２を有し、他端側にはバックル２に係止するよう例えば適宜間隔で配列された適数の係止孔３が開穿されている。もとより、ベルト本体１自体の係止構造は、これに限らないことは勿論である。
【００２０】
このベルト本体１の自由端側、すなわちベルト本体１の一端部に連繋されているバックル２に係止されるベルト本体１の他端部には、ズボンＰにおける前面部に設けられているベルト通しＰ１にベルト本体１を支持させるように連繋固定する連繋部３を設けてある。図１、図２に示す第１の実施の形態にあっての連繋部３は、支持させるべきベルト通しＰ１位置に対応したベルト本体１の外側表面部位に起伏自在に止着固定する細帯状に形成されて成り、基部側にてベルト本体１に固定しておき、自由端側は連繋部３とベルト本体１面との間でベルト通しＰ１を挟み込んだ状態でベルト本体１自体に例えば雌雄嵌合式のホック４にて固定できるようにしてある。連繋部３自体は、例えばベルト本体１と同効な所定肉厚の例えば皮革材にて形成され、ベルト本体１の幅員に比し例えばそのほぼ１／３ないし１／２程度としてあり、ベルト通しＰ１にベルト本体１と共に挿通させるときに邪魔にならずに円滑となるように配慮してある。
【００２１】
また、この連繋部３は、その基端側がベルト本体１における自由端側に例えば縫合固着することで配置され、自由端側がベルト本体１におけるバックル２側に向けられていることで、ベルト本体１をベルト通しＰ１に挿通させるとき、前面部のベルト通しＰ１に後方側から挿通した後に開くようになり、その後にホック４止めすることになる。また、装着時では身体の前面側にホック４が位置せず、正面からは外観視できないことでベルト本体１の体裁を大きく損なうことがないように配慮してある。
【００２２】
なお、連繋部３のベルト本体１に対する固定は、図示のように雌雄嵌合式のホック４によらずに、例えば面ファスナー、ピンその他の固定手段によることもでき、これらに限定されるものではない。
【００２３】
図３に示す第２の実施の形態にあっては、連繋部３の基端側がベルト本体１におけるバックル２側に配置され、自由端側がベルト本体１における自由端側に向けられたものとして構成した場合である。こうすることで、ベルト通しＰ１にベルト本体１を挿通させるとき、ホック４止めを外した連繋部３をそのままで前面部のベルト通しＰ１に連繋させることができる。また、ホック４自体が前面側に位置することで、ベルト本体１を装飾するアクセサリーとすることもできる。
【００２４】
また、連繋部３は、これの両端がベルト本体１に対して例えばホック４その他の固定手段によって着脱自在になっていても良く、こうすることで、ベルト本体１のいずれの側からでもベルト通しＰ１に連繋支持できると共に、場合によっては取り外しておくこともできる利点がある。
【００２５】
図４に示す第３の実施の形態にあっての連繋部３は、ループ状に形成されることで設けられており、ベルト通しＰ１を囲繞巻回して、ホック４その他の固定手段によって着脱式に開閉されるようにしてある。こうすることで、ベルト通しＰ１にベルト本体１とは別個にして連繋支持させることができる。
【００２６】
また、図５に示す第４の実施の形態にあっては、連繋部３をベルト本体１の内側裏面部に配置形成した場合であり、ベルト本体１に挿通させて配置した所持ケースＣを連繋部３の開閉操作によって所持ケースＣの通し環Ｃ１を固定することで、所持ケースＣ、携帯電話機Ｔをベルト本体１に直接に移動不能にして固定保持できる。こうすることで、ベルト本体１のベルト通しＰ１への連繋固定は不要となり、ベルト本体１の自由端側がベルト通しＰ１から外れることがあっても所持ケースＣ、携帯電話機Ｔは落下・脱落しない。また、場合によっては、ベルト本体１を前面位置のベルト通しＰ１に挿通させることなく、ベルト通しＰ１の外側に配置して腰回りを囲繞し、ベルト通しＰ１の内側から連繋部３によって固定することも可能である。
【００２７】
次にこれの使用の一例を説明すると、携帯電話機Ｔを収納保持してベルト本体１に取り付けられる所持ケースＣを用意しておき、ベルト本体１をズボンＰのベルト通しＰ１それぞれに挿通させる。挿通させるに際し、前面部に位置するベルト通しＰ１にベルト本体１を挿通する前に、ベルト本体１の自由端側から所持ケースＣを挿通支持させ、ベルト本体１の自由端をベルト通しＰ１に挿通させてバックル２に係止する。その一方で、連繋部３を前面部のベルト通しＰ１に連繋固定すれば良い。
【００２８】
こうしておいて、例えばトイレ、洗面所等でベルト本体１を解いてこれの自由端側に携帯電話機Ｔの重量が付加されることでもベルト通しＰ１からベルト本体１が外れることはなく、安心して用をたすことができる。
【符号の説明】
【００２９】
Ｃ…所持ケース                          Ｃ１…通し環
Ｐ…ズボン                              Ｐ１…ベルト通し
Ｔ…携帯電話機
１…ベルト本体                          ２…バックル
３…連繋部                              ４…ホック
１０…ベルト
【図１】
0003157660.tif 000003
【図２】
0003157660.tif 000004
【図３】
0003157660.tif 000005
【図４】
0003157660.tif 000006
【図５】
0003157660.tif 000007
【図６】
0003157660.tif 000008